(57)【要約】      （修正有）【課題】さつまいも、とうもろこし、緑豆から抽出した澱粉を主原料とし、使用後にそのまま、残飯等に混入しても問題なく、また、焼却処理等を施さなくても、土中等自然環境の中で溶解、分解されて環境汚染や環境破壊をすることのない爪楊枝を提供する。【解決手段】棒状の両端が突き刺し部１１をなし、中央部に二つ折り可能に折曲する折曲部１２を有する棒状部材１からなり、折曲部で２つ折りして２又形状をなす先端作用部を形成可能で、さつまいも、とうもろこしおよび緑豆等から選ばれる穀物澱粉を主原料として成る材料を用い、細い棒状に形成した後、これを適宜固化させて２つ折り２又楊枝を製造する。【選択図】図１
0003135908.tif 000002
【実用新案登録請求の範囲】
【請求項１】
棒状の両端が突き刺し部(１１，１１)をなし、中央部に二つ折り可能に折曲する折曲部(１２)を有する棒状部材(１)からなり、該折曲部で２つ折りして２又形状をなす先端作用部を形成可能で、さつまいも、とうもろこしおよび緑豆等から選ばれる穀物澱粉を主原料として成る材料を用い、細い棒状に形成した後、これを適宜固化させて製造されることを特徴とする２つ折り２又楊枝。
【請求項２】
穀物澱粉に適宜他の天然粉末、分解性プラスチック等を混合してなる請求項１記載の２つ折り２又楊枝。
【請求項３】
中央部に設ける折曲部(１２)が切り込み線又は押圧平面で構成され、２つ折りするとピンセットの端部のように把持部(１３)を構成する請求項１記載の２つ折り２又楊枝。
【請求項４】
棒状の両端が突き刺し部(１１，１１)をなし、中央部に二つ折り可能に折曲する折曲部(１２)を有する棒状部材(１)からなり、該折曲部で２つ折りして２又形状をなす先端作用部を形成可能で、さつまいも、とうもろこしおよび緑豆等から選ばれる穀物澱粉を主原料とし、食用着色剤を混合し、所望の着色を付してなる材料を用い、細い棒状に形成した後、これを適宜固化させて製造されることを特徴とする着色２つ折り２又楊枝。
【考案の詳細な説明】
【技術分野】
【０００１】
本考案は、さつまいも、とうもろこし、緑豆から抽出した澱粉を主原料とし、使用後にそのまま、残飯等に混入しても問題なく、また、焼却処理等を施さなくても、土中等自然環境の中で溶解、分解されて環境汚染や環境破壊をすることのない爪楊枝に関するものである。
【背景技術】
【０００２】
一般に飲食店等で提供されている爪楊枝は木製やプラスチック製のものが多く使用されている。これら木製の日用品については、前者についてはその多くが木材や竹等を主原料として使用し、使用後には焼却処分等により処理することが一般的である。
【０００３】
ところで、これらの使い捨て型の爪楊枝は、焼却処分をすると、多くの場合、その焼却によって人体に有害なダイオキシン等の化学物質が発生し、これが環境汚染の原因に成って社会的問題化したり、また、一方では、木材等から製造することとすると、その目的に適合した材料を、多数伐採入手する必要もあり、これが森林破壊や自然破壊の大きな原因にも成る可能性がある。また、残飯を養豚飼料として利用する場合は爪楊枝が混入すると飼料として使用できないという問題がある。
【０００４】
そこで、上記のような実情に鑑みて澱粉を主原料とした爪楊枝が提案されている（特許文献１）。特に、主たる原料として比較的入手の容易な緑豆を用いると、残飯に混入してもそのまま飼料に使用することができる一方、使用後は、微生物によって分解消滅されることにより土中を汚染することがない等の利点がある。
【０００５】
【特許文献１】登録実用新案第３０６４１５８号
【考案の開示】
【考案が解決しようとする課題】
【０００６】
しかしながら、爪楊枝の形状は通常、一本の細い棒状体の先端を突状となしたものであり、果物のようにやや硬いものの突き差し可能であるが、例えば柔らかいたこ焼きのような物を突き刺して口に運ぶには適していない。しかも緑豆の澱粉を主原料とした爪楊枝は表面が滑らかでしなやかであるがため、たこ焼き等の柔らかいものの取り扱いには全く使い勝手が悪い。よって、従来通り木製、竹製のものが依然として使用されているのが現状である。
【課題を解決するための手段】
【０００７】
本考案に係る爪楊枝は、さつまいも、とうもろこしおよび緑豆等から選ばれる穀物澱粉を主原料として成る材料を用い、細い棒状に形成した後、これを適宜固化させて製造されるので、種々の形状を安価に製造できるだけでなく、両端が突き刺し部１１，１１を、中央部に二つ折り可能に折曲する折曲部１２を有する棒状部材１を製造し、その中央折曲部で２つ折りして２又形状をなす先端作用部を形成して用いるので、１本の楊枝よりも使い勝手に優れることに鑑み、完成されたものである。
【０００８】
本考案においては、穀物澱粉に適宜他の天然粉末、分解性プラスチック等を混合して用いることもでき、その成形は中央部に設ける折曲部が切り込み線又は押圧平面で構成し、２つ折りすると先端に２又作用部を、折曲部に把持部を形成してピンセットの如く構成するのが好ましい。
【考案を実施するための最良の形態】
【０００９】
図１には本考案に係る緑豆の澱粉を主原料とした爪楊枝１の形状は、従来のものと異なり、やや長尺の細い棒状の両端１１，１１が突状をなし、中央部には二つ折り可能に折曲する折曲部１２を有する棒状部材からなる。かかる棒状部材は、さつまいも、とうもろこし、緑豆といった穀物澱粉を主原料として成る材料を用い、水分を加え、十分混練して細い棒状に形成した後、所定の型で押出または押圧成形し、これを適宜乾燥させ、両端を針状に研削して成る。特に、その成形は中央部に設ける折曲部１２は切り込み線又は押圧平面をなし、図２に示すように、２つ折りすると先端には２又の作用部が形成され、後端にはピンセットのように把持部１３を構成するので使いやすい。本考案の爪楊枝は通常の２倍以上の長さに成形されるので、柔軟な物性の場合は、特に切り込み線等を設けずともそのまま２つ折り可能である。
【００１０】
その主原料として、緑豆から抽出した澱粉を主たる材料にし、必要に応じて他の天然植物を澱粉混合して形成できる。環境破壊や環境汚染を防止することを目的として開発された分解性プラスチック、例えば「バイオプラスチック」や「光分解性プラスチック」等を適宜分量混入することにより物品としての強度を持たせることも可能である。
【００１１】
本考案の好適な実施の形態においては、先ず、緑豆を磨り潰して澱粉を抽出した後、乾燥させて粉末状態の材料を生成する。これに必要に応じて他の植物性澱粉を混ぜ、水分を混入した後十分混練して細い棒状に形成し、これを適宜、所定の型内に押入し、型押し加熱して固化し、所望棒状製品を完成させ、両端を針状に研削する。なお、爪楊枝においては、予め円柱状又は角柱状に形成すると同時に先端部分を種々の形状に押圧成形するとともに、その中央部分を折曲部とし、これを２つ折りにし、２又ピンセットのような楊枝を形成するように製造してもよい。
【００１２】
本考案に係る緑豆等の澱粉を主原料とした２又楊枝は、２つ折りにして折曲部を把持部のように使い、２又ピンセットのように使用するのが本旨であって、図示例に限定されるものではない。
【産業上の利用可能性】
【００１３】
本考案に係る緑豆の澱粉を主原料とした２又楊枝は、以上のように構成したから、表面が滑らかでしなやかな緑豆等の材料であっても、２つ折りして２又となり、先端部分が２箇所あることで、力が分散され、たこ焼き等の突き刺した食品が回転せず、ピンセットのようにして使用できるので、食品を型くずれさせることがなく、取り扱いが容易である。また、その使用感においても従来の木製又は竹製の爪楊枝に見劣りすることがない。更に、主成分が澱粉であるので、使用後残飯に残留しても飼料として使用することができる。また、澱粉を使って透明に仕上げることができるので、着色が自在であり、カラフルなおしゃれな２つ折り２又楊枝を提供できる。
【図面の簡単な説明】
【００１４】
【図１】本考案にかかる２つ折り２又楊枝の折り曲げ前の状態を示す斜視図。
【図２】本考案にかかる２つ折り２又楊枝の折り曲げ後の状態を示す斜視図。
【符号の説明】
【００１５】
１：２又楊枝、１１：突状部、１２：扁平折曲部、１３：把持部
【図１】
0003135908.tif 000003
【図２】
0003135908.tif 000004